(57)【要約】【課題】地図に対するユーザの拡大／縮小操作よっても、表示範囲に対する表示負荷が大きく異ならないようにするシステム等を提供する。【解決手段】当該システムは、１つの地図画像を、タイル状に並べることができる矩形状に分割した複数の分割地図画像を配信する地図サーバと、受信した分割地図画像をディスプレイに並べて表示する端末とを有する。地図サーバは、分割地図画像毎に、当該分割地図画像を表示すべき拡大率を指定した表示判定率を付与したインデックスを配信する。端末は、前記インデックスに従って、当該分割地図画像をディスプレイに表示した際における拡大率が、表示判定率以上（又は以下）であった場合にのみ、当該分割地図画像を表示する。【選択図】図２
2014235329.tif 000002
【特許請求の範囲】
【請求項１】
１つの地図画像を、タイル状に並べることができる矩形状に分割した複数の分割地図画像を配信する地図サーバと、受信した分割地図画像をディスプレイに並べて表示する端末とを有するシステムにおいて、
前記地図サーバは、前記分割地図画像毎に、当該分割地図画像を表示すべき拡大率を指定した表示判定率を付与したインデックスを配信し、
前記端末は、前記インデックスに従って、当該分割地図画像をディスプレイに表示した際における拡大率が、前記表示判定率以上（又は以下）であった場合にのみ、当該分割地図画像を表示する
ことを特徴とするシステム。
【請求項２】
前記表示判定率は、前記分割地図画像のファイル名を指定するタグに、パラメータとして含まれることを特徴とする請求項１に記載のシステム。
【請求項３】
前記タグは、ＳＶＧ(Scalable Vector Graphics)のanimationタグであることを特徴とする請求項２に記載のシステム。
【請求項４】
前記拡大率及び前記表示判定率は、ピクセル数の拡大率であることを特徴とする請求項１から３のいずれか１項に記載のシステム。
【請求項５】
前記拡大率及び前記表示判定率は、面積の拡大率及であることを特徴とする請求項１から３のいずれか１項に記載のシステム。
【請求項６】
前記拡大率及び前記表示判定率は、元の分割地図画像の座標と、ディスプレイに表示された分割地図画像の座標との間のアフィン変換行列式におけるａ，ｂ，ｃ，ｄ要素を用いて算出されることを特徴とする請求項５に記載のシステム。
【請求項７】
前記分割地図画像は、同一の地図範囲に対して階層状に複数の分割地図画像から構成され、下位層の１枚の分割地図画像に対して上位層の複数の分割地図画像が対応すると共に、下位層の１枚の分割地図画像の情報量は上位層の１枚の分割地図画像の情報量とほぼ同一であり、
前記端末は、上位層の複数の分割地図画像をディスプレイに表示している際に、縮小操作によって当該分割地図画像の拡大率が前記表示判定率よりも小さく（又は大きく）なった場合、当該上位層の複数の分割地図画像が非表示となると共に、下位層の１枚の分割地図画像が表示される
ことを特徴とする請求項１から６のいずれか１項に記載のシステム。
【請求項８】
１つの地図画像を、タイル状に並べることができる矩形状に分割した複数の分割地図画像を配信する地図サーバと、受信した分割地図画像をディスプレイに並べて表示する端末とを有するシステムにおける分割地図画像の表示方法において、
前記地図サーバが、前記分割地図画像毎に、当該分割地図画像を表示すべき拡大率を指定した表示判定率を付与したインデックスを配信する第１のステップと、
前記端末が、前記インデックスに従って、当該分割地図画像をディスプレイに表示した際における拡大率が、前記表示判定率以上（又は以下）であった場合にのみ、当該分割地図画像を表示する第２のステップと
を有することを特徴とする分割地図画像の表示方法。
【請求項９】
１つの地図画像を、タイル状に並べることができる矩形状に分割した複数の分割地図画像を、端末へ配信する地図サーバにおいて、
前記分割地図画像毎に、当該分割地図画像を表示すべき拡大率を指定した表示判定率を付与したインデックスを配信するものであり、
前記端末に対して、前記インデックスに従って、当該分割地図画像をディスプレイに表示した際における拡大率が、前記表示判定率以上（又は以下）であった場合にのみ、当該分割地図画像を表示させることを特徴とする地図サーバ。
【請求項１０】
１つの地図画像を、タイル状に並べることができる矩形状に分割した複数の分割地図画像を受信し、当該分割地図画像をディスプレイに並べて表示する端末において、
前記分割地図画像毎に、当該分割地図画像を表示すべき拡大率を指定した表示判定率が付与されたインデックスを保持し、、
前記インデックスに従って、当該分割地図画像をディスプレイに表示した際における拡大率が、前記表示判定率以上（又は以下）であった場合にのみ、当該分割地図画像を表示する
ことを特徴とする端末。
【請求項１１】
１つの地図画像を、タイル状に並べることができる矩形状に分割した複数の分割地図画像を、端末へ配信するサーバに搭載されたコンピュータを実行させるプログラムにおいて、
前記分割地図画像毎に、当該分割地図画像を表示すべき拡大率を指定した表示判定率を付与したインデックスを配信するようにコンピュータを実行させるものであって、
前記端末に対して、前記インデックスに従って、当該分割地図画像をディスプレイに表示した際における拡大率が、前記表示判定率以上（又は以下）であった場合にのみ、当該分割地図画像を表示させることを特徴とするサーバ用のプログラム。
【請求項１２】
１つの地図画像を、タイル状に並べることができる矩形状に分割した複数の分割地図画像を受信し、当該分割地図画像をディスプレイに並べて表示する端末に搭載されたコンピュータを実行させるプログラムにおいて、
前記分割地図画像毎に、当該分割地図画像を表示すべき拡大率を指定した表示判定率が付与されたインデックスを保持し、、
前記インデックスに従って、当該分割地図画像をディスプレイに表示した際における拡大率が、前記表示判定率以上（又は以下）であった場合にのみ、当該分割地図画像を表示する
ことを特徴とする端末用のプログラム。
【発明の詳細な説明】
【技術分野】
【０００１】
本発明は、地図サーバが複数の分割地図画像を配信し、端末がそれら分割地図画像を並べてディスプレイに表示する技術に関する。
【背景技術】
【０００２】
インターネット等の広域ネットワークには、地図サーバが接続されており、地図サーバは、背景地図や対象物が描画された地図画像を蓄積している。端末は、地図サーバから地図画像を受信し、ディスプレイに表示することができる。特に、近年では、携帯電話端末のような比較的低処理能力で且つメモリ容量の小さい端末が、地図サーバから地図画像を受信し且つディスプレイに表示する場合も多い。
【０００３】
通常、地図サーバは、一定の規則に基づいて地図画像を分割して蓄積している。分割地図画像は、タイル状（メッシュ状）に並べることができる一定領域の矩形状に分割したものである。分割地図画像には、インデックス（識別子）が付与されている。地図サーバは、分割地図画像のインデックスを管理することによって、分割地図画像同士の間の位置関係を管理することができる。
【０００４】
一方、緯度経度等の座標で一定領域に等分割した分割地図画像においては、１枚毎の情報量は、全て同じではない。即ち、分割地図画像の表示範囲は同一であっても、表示している場所によっては、その分割地図画像の情報量は異なる。地図画像を表示する端末のメモリの制約から１枚の分割地図画像の情報量に上限をもうけると、分割地図画像の表示範囲を狭くしなければならず、分割地図画像の数が増加する。また、分割地図画像の数の増加に伴って、分割画像を管理するための、地図サーバが管理するインデックスの数が増加し、更に個々の分割地図画像のヘッダ・フッタ数も増加する。
【０００５】
これに対し、全ての分割地図画像の情報量をほぼ同一とすると共に、異なる表示範囲の分割地図画像を生成する技術がある（例えば特許文献１及び特許文献２）。これらの技術によれば、小さい情報量の分割地図画像が大量に生成されることを防ぎ、地図サーバの管理コストを低減させることができる。
【先行技術文献】
【特許文献】
【０００６】
【特許文献１】特開２００３−２５４７６２号公報
【特許文献２】特開２００９−５８８６１号公報
【発明の概要】
【発明が解決しようとする課題】
【０００７】
しかしながら、特に特許文献２に記載の技術によれば、全ての分割地図画像について情報量がほぼ同一となるものの、ディスプレイに並べて表示される際に必要な情報量の合計はほぼ同一とならない。広い表示範囲の地図情報を表示する場合、分割地図画像の数は少ないために、速やかに表示される。一方で、狭い表示範囲の地図情報を表示する場合、分割地図画像の数は多いために、表示されるまでに時間を要する。即ち、地図画像に対するユーザの拡大／縮小操作によって、端末における分割地図画像の表示負荷が異なるという課題がある。
【０００８】
そこで、本発明は、地図に対するユーザの拡大／縮小操作よっても、端末における分割地図画像の表示負荷が大きく異ならないようにするシステム、方法、地図サーバ、端末及びプログラムを提供することを目的とする。
【課題を解決するための手段】
【０００９】
本発明によれば、１つの地図画像を、タイル状に並べることができる矩形状に分割した複数の分割地図画像を配信する地図サーバと、受信した分割地図画像をディスプレイに並べて表示する端末とを有するシステムにおいて、
地図サーバは、分割地図画像毎に、当該分割地図画像を表示すべき拡大率を指定した表示判定率を付与したインデックスを配信し、
端末は、インデックスに従って、当該分割地図画像をディスプレイに表示した際における拡大率が、表示判定率以上（又は以下）であった場合にのみ、当該分割地図画像を表示する
ことを特徴とする。
【００１０】
本発明のシステムにおける他の実施形態によれば、表示判定率は、分割地図画像のファイル名を指定するタグに、パラメータとして含まれることも好ましい。
【００１１】
本発明のシステムにおける他の実施形態によれば、タグは、ＳＶＧ(Scalable Vector Graphics)のanimationタグであることも好ましい。
【００１２】
本発明のシステムにおける他の実施形態によれば、拡大率及び表示判定率は、ピクセル数の拡大率であることも好ましい。
【００１３】
本発明のシステムにおける他の実施形態によれば、拡大率及び表示判定率は、面積の拡大率であることも好ましい。
【００１４】
本発明のシステムにおける他の実施形態によれば、拡大率及び表示判定率は、元の分割地図画像の座標と、ディスプレイに表示された分割地図画像の座標との間のアフィン変換行列式におけるａ，ｂ，ｃ，ｄ要素を用いて算出されることも好ましい。
【００１５】
本発明のシステムにおける他の実施形態によれば、
分割地図画像は、同一の地図範囲に対して階層状に複数の分割地図画像から構成され、下位層の１枚の分割地図画像に対して上位層の複数の分割地図画像が対応すると共に、下位層の１枚の分割地図画像の情報量は上位層の１枚の分割地図画像の情報量とほぼ同一であり、
端末は、上位層の複数の分割地図画像をディスプレイに表示している際に、縮小操作によって当該分割地図画像の拡大率が表示判定率よりも小さく（又は大きく）なった場合、当該上位層の複数の分割地図画像が非表示となると共に、下位層の１枚の分割地図画像が表示されることも好ましい。
【００１６】
本発明によれば、１つの地図画像を、タイル状に並べることができる矩形状に分割した複数の分割地図画像を配信する地図サーバと、受信した分割地図画像をディスプレイに並べて表示する端末とを有するシステムにおける分割地図画像の表示方法において、
地図サーバが、分割地図画像毎に、当該分割地図画像を表示すべき拡大率を指定した表示判定率を付与したインデックスを配信する第１のステップと、
端末が、インデックスに従って、当該分割地図画像をディスプレイに表示した際における拡大率が、表示判定率以上（又は以下）であった場合にのみ、当該分割地図画像を表示する第２のステップと
を有することを特徴とする。
【００１７】
本発明によれば、１つの地図画像を、タイル状に並べることができる矩形状に分割した複数の分割地図画像を、端末へ配信する地図サーバにおいて、
分割地図画像毎に、当該分割地図画像を表示すべき拡大率を指定した表示判定率を付与したインデックスを配信するものであり、
端末に対して、インデックスに従って、当該分割地図画像をディスプレイに表示した際における拡大率が、表示判定率以上（又は以下）であった場合にのみ、当該分割地図画像を表示させることを特徴とする。
【００１８】
本発明によれば、１つの地図画像を、タイル状に並べることができる矩形状に分割した複数の分割地図画像を受信し、当該分割地図画像をディスプレイに並べて表示する端末において、
分割地図画像毎に、当該分割地図画像を表示すべき拡大率を指定した表示判定率が付与されたインデックスを保持し、、
インデックスに従って、当該分割地図画像をディスプレイに表示した際における拡大率が、表示判定率以上（又は以下）であった場合にのみ、当該分割地図画像を表示する
ことを特徴とする。
【００１９】
本発明によれば、１つの地図画像を、タイル状に並べることができる矩形状に分割した複数の分割地図画像を、端末へ配信するサーバに搭載されたコンピュータを実行させるプログラムにおいて、
分割地図画像毎に、当該分割地図画像を表示すべき拡大率を指定した表示判定率を付与したインデックスを配信するようにコンピュータを実行させるものであって、
端末に対して、インデックスに従って、当該分割地図画像をディスプレイに表示した際における拡大率が、表示判定率以上（又は以下）であった場合にのみ、当該分割地図画像を表示させるようにすることを特徴とする。
【００２０】
本発明によれば、１つの地図画像を、タイル状に並べることができる矩形状に分割した複数の分割地図画像を受信し、当該分割地図画像をディスプレイに並べて表示する端末に搭載されたコンピュータを実行させるプログラムにおいて、
分割地図画像毎に、当該分割地図画像を表示すべき拡大率を指定した表示判定率が付与されたインデックスを保持し、
インデックスに従って、当該分割地図画像をディスプレイに表示した際における拡大率が、表示判定率以上（又は以下）であった場合にのみ、当該分割地図画像を表示する
ことを特徴とする。
【発明の効果】
【００２１】
本発明のシステム、方法、地図サーバ、端末及びプログラムによれば、地図に対するユーザの拡大／縮小操作よっても、端末における分割地図画像の表示負荷が大きく異ならないようにすることができる。
【図面の簡単な説明】
【００２２】
【図１】本発明における地図サーバと端末との間のシーケンス図である。
【図２】本発明におけるインデックスのＸＭＬコードの例である。
【図３】日本地図を分割した分割地図画像の区分図である。
【図４】階層状に構成された分割地図画像を表す説明図である。
【図５】本発明における拡大率の算出を表す説明図である。
【図６】日本地図を最上位まで分割した分割地図画像の区分図である。
【図７】最上位まで分割した分割地図画像毎に、所定拡大率で表示した場合の区分図である。
【図８】図７に対して拡大率を大きくした場合の区分図である。
【図９】図４のように異なる階層の分割地図画像を並べた表示画面図である。
【発明を実施するための形態】
【００２３】
以下、本発明の実施の形態について、図面を用いて詳細に説明する。
【００２４】
図１は、本発明における地図サーバと端末との間のシーケンス図である。
【００２５】
（Ｓ１１）端末２は、地図サーバ１へ、表示範囲情報を含むインデックス取得要求を送信する。
【００２６】
（Ｓ１２）地図サーバ１は、端末２へ、その表示範囲情報に対応するインデックス応答を返信する。このインデックスには、その表示範囲情報によって選択された複数の分割地図画像におけるタグが含まれる。本発明のインデックスによれば、分割地図画像毎に、当該分割地図画像を表示すべき拡大率を指定した表示判定率が付与されている。
【００２７】
図２は、本発明におけるインデックスのＸＭＬ(Extensible Markup Language)コードの例である。
【００２８】
図２によれば、ＳＶＧ(Scalable Vector Graphics)のＸＭＬコードが表されており、各分割地図画像は、animationタグによって指定されている。animationタグには、分割地図画像のファイル名と共に、パラメータとして表示判定率"visibleMinZoom"が含まれている。図２によれば、例えば以下のように表されている。
<animationxlink:href="l1_1-1.svg"  x="13845" y="-3299" width="1552" height="1256" visibleMinZoom="11"/>
l1_1-1.svgは、長さスケールが拡大率11%（0.11倍）以上の場合にのみ表示
<animationxlink:href="l2_3-0.svg"  x="14622" y="-4555" width="776" height="628"visibleMinZoom="23"/>
l2_3-0.svgは、長さスケールが拡大率23%（0.23倍）以上の場合に表示
・・・・・
<animationxlink:href="l5_6-14.svg" x="12875" y="-3456" width="97" height="78" visibleMinZoom="190"/>
l5_6-14.svgは、長さスケールが拡大率190%（1.93倍）以上の場合に表示
animation要素によって、端末２に対して、個々の分割地図画像を読み込ませることができる。
【００２９】
（Ｓ１３）端末２は、地図サーバ１へ、各タグに応じた分割地図画像取得要求を送信する。
【００３０】
（Ｓ１４）地図サーバ１は、各分割地図画像取得要求に応じて分割地図画像を応答する。複数の分割地図画像は、矩形状に分割されたものであって、端末２は、これら分割地図画像をディスプレイにタイル状に並べることによって、１つの地図画像を表示することができる。
【００３１】
（Ｓ２）端末２は、当該分割地図画像をディスプレイに表示した際における拡大率が、表示判定率以上（又は以下）であった場合にのみ、当該分割地図画像を表示する。前述の図２の例では、表示した際の拡大率が、表示判定率"visibleMinZoom"以上の場合に当該分割地図画像を表示するものとしたが、表示判定率"visibleMaxZoom"以下の場合に当該分割地図画像を表示するものであってもよい。分割地図画像がディスプレイに表示される拡大率は、例えばユーザのピンチアウト（拡大操作）又はピンチイン（縮小操作）によって変化する。即ち、地図画像に対するユーザの拡大／縮小操作に応じて、当該分割地図画像の表示の可否が判定される。
【００３２】
尚、図２によれば、属性visibleMinZoom及びvisibleMaxZoomによって、長さスケールを用いて表示の可否を判定したが、長さ、面積、面積スケール等を用いて表示の可否を判定するものであってもよい。
【００３３】
図３は、日本地図を分割した分割地図画像の区分図である。
【００３４】
図３によれば、１枚の日本地図を、最初に１／４に段階的に等分割している。ここで、分割地図画像３については、ほとんど海上領域しか表していない。分割地図画像３の情報量が所定閾値（例えば１００Ｋバイト）以下である場合、当該分割地図画像３はそれ以上に分割しない。分割地図画像３のように広い領域で且つ小さい情報量の分割地図画像は、そのまま１枚の分割地図画像として管理する。
【００３５】
また、各分割地図画像には、その位置に応じて、左上から時計回り順に、識別番号が付与される。また、その識別番号は、大きい分割地図画像から順に、階層的に付与される。勿論、各分割地図画像の四辺を示す座標値を、管理情報として直接的に蓄積しているものであってもよい。
【００３６】
次に、所定閾値よりも大きい分割地図画像１、２及び４をそれぞれ、更に１／４に等分割する。ここで、分割地図画像１−１〜４、２−１〜４、４−１〜４の各々について、その情報量が所定閾値以下であるか否かを判定する。その情報量が所定閾値以下である分割地図画像１−１〜２、２−２〜３、４−２〜４は、それ以上に分割しない。このようにすることによって、全ての分割地図画像について情報量をほぼ同一とすることができる（例えば特許文献２参照）。
【００３７】
このように再帰的に処理を実行し、最終的には、全ての分割地図画像が、所定閾値以下の情報となった場合に、処理を終了する。地図画像の各範囲における最上位層の分割地図画像が、図３のように表される。
【００３８】
分割地図画像は、４分割されることによって１段階狭い領域（上位層）に区分される。階層が１段階上位（４分割される）となる毎に、表示される最小の拡大率を２倍にすることによって、１段階下位層の分割地図画像と同じ大きさで表示することができる。即ち、表示領域で２倍に拡大することによって、地図領域における長さは、半分（面積は１／４）となるために、１段階狭い領域（上位層の分割地図画像）の分割地図画像を表示しても、表示領域内の枚数は大きく増加しない。即ち、表示領域における分割地図画像の枚数を、おおよそ一定に保つことができる。
【００３９】
図４は、階層状に構成された分割地図画像を表す説明図である。
【００４０】
図４によれば、分割地図画像は、同一の地図範囲に対して階層状に複数の分割地図画像から構成される。下位層の１枚の分割地図画像に対して、上位層の複数の分割地図画像が対応している。また、下位層の１枚の分割地図画像の情報量は、上位層の１枚の分割地図画像の情報量とほぼ同一となるように構成される。
【００４１】
図３で前述したように、最上位層の各分割地図画像は、ほぼ同じデータ量になるように分割されている。即ち、１枚の分割地図画像を、縮小して表示しても、拡大して表示しても、そのデータ量は同じである。但し、縮小するほど、情報量がつぶれて見えることとなり、拡大するほど、情報量が簡素に見えることとなる。
【００４２】
図４によれば、下位層の元の分割地図画像100pixel×100pixelを４分割したとする。この場合、分割された４枚の上位層の分割地図画像は、50pixel×50pixelとなる。この上位層の分割地図画像について拡大率を２倍とした場合、その表示領域は、100pixel×100pixelとなる。但し、同じ100pixel×100pixelの範囲であっても、下位層の分割地図画像に比べて、上位層の分割地図画像の情報量は、４倍となる。順次、分割地図画像を４分割していく際に、分割前の分割地図画像を下位層とし、分割後の４枚の分割地図画像を上位層として記憶していく。このとき、分割前の下位層の分割地図画像は、分割後の４枚の分割地図画像と比較して４倍の情報量を有することとなる。そこで、分割前の下位層の分割地図画像の情報量を、１／４倍以下となるように下位層の分割地図画像が表示される縮尺での表示（利用）に十分な程度に情報を欠落させることで、粗く変換する。このようにすることによって、１枚の分割地図画像の情報量がほぼ同一となるようにする。
【００４３】
ここで、上位層の分割地図画像が、その拡大率と表示判定率"visibleMinZoom"とを比較して表示しないものと判定された場合、その１つ下位層の分割地図画像が表示されることとなる。即ち、上位層の４枚の分割地図画像が表示されず、下位層の１枚の分割地図画像が表示される。このように、分割地図画像を階層化することによって、端末２には、常に１枚の地図画像が表示されることとなる。
【００４４】
端末２は、上位層の複数の分割地図画像をディスプレイに表示している際に、縮小操作によって当該分割地図画像の拡大率が表示判定率よりも小さく（又は大きく）なった場合でも、その上位層の複数の分割地図画像が非表示となると共に、下位層の１枚の分割地図画像が表示される。この下位層の１枚の分割地図画像は、上位層の１枚の分割地図画像の情報量とほぼ同一のものである。
【００４５】
図５は、本発明における拡大率の算出を表す説明図である。
【００４６】
図５によれば、例えば１辺が100pixelの正方形の分割地図画像について説明する。これに対して、端末のディスプレイ（表示領域）に表示可能な面積は、例えば1920pixel×1080pixelや640pixel×480pixelのように、縦のピクセル数×横のピクセル数（又は横×縦）によって表記される。
【００４７】
本発明によれば、分割地図画像に対する、当該分割地図画像をディスプレイに表示した際の拡大率によって、当該分割地図画像の表示の可否が制御される。「拡大率」とは、具体的には以下のようなものである。
元の分割地図画像＝100pixel×100pixel
（表示例１）表示された分割地図画像＝100pixel×100pixel->拡大率100％(1倍)
（表示例２）表示された分割地図画像＝50pixel×50pixel -> 拡大率50％(0.5倍)
（表示例３）表示された分割地図画像＝10pixel×10pixel -> 拡大率10％(0.1倍)
ここで、例えば「表示判定率＝11%（0.11倍）」であった場合、分割地図画像は、表示例１及び２では表示されるが、表示例３では表示されない。このように、分割地図画像毎に、表示判定率を制御することよって、当該分割地図画像の表示／非表示が制御される。
することができる。
【００４８】
［拡大率及び表示判定率における具体的な４つの算出方法］
（算出方法１）長さ
表示された分割地図画像の１辺の長さ（ピクセル数）：  ｍ
具体的には例えば、表示された分割地図画像の１辺の長さ（ピクセル）が、表示判定長さ（ピクセル）以上であれば、その分割地図画像は表示される。
【００４９】
（算出方法２）長さスケール
元の分割地図画像の座標と、表示された分割地図画像の座標との間のアフィン変換行列式におけるａ，ｂ，ｃ，ｄ要素を用いて算出される。
【数１】
2014235329.tif 000003
ｘp、ｙp：元の分割地図画像におけるｘ座標及びｙ座標
ｘd、ｙd：表示された分割地図画像におけるｘ座標及びｙ座標
例えばａ＝2、ｂ＝0、ｃ＝0、ｄ＝2、ｅ＝50、ｆ＝50
【数２】
2014235329.tif 000004
具体的には例えば、表示された分割地図画像の拡大率が、表示判定率以上であれば、その分割地図画像は表示される。
【００５０】
（算出方法３）面積  （|ａｄ−ｂｃ|）ｓ
ｓ：拡大率100％(１倍)における面積
具体的には例えば、表示された分割地図画像の面積が、表示判定面積以上であれば、その分割地図画像は表示される。
【００５１】
（算出方法４）面積スケール  |ａｄ−ｂｃ|
具体的には例えば、表示された分割地図画像の面積スケールが、表示判定面積スケール以上であれば、その分割地図画像は表示される。
【００５２】
図６は、日本地図を最上位まで分割した分割地図画像の区分図である。この区分によれば、全ての分割地図画像がほぼ同一のデータ量となっている。
【００５３】
図７は、最上位まで分割した分割地図画像毎に、所定拡大率で表示した場合の区分図である。この場合、領域範囲が狭い分割地図画像ほど、表示判定率も高くなっており、結果的に、最上位まで分割した分割地図画像では表示されない場合も多くなる。
【００５４】
図８は、図７に対して拡大率を大きくした場合の区分図である。この場合、拡大率が大きくなることによって、表示判定率との比較によって表示される分割地図画像が多くなる。一方で、領域範囲が極めて狭く且つ表示判定率も高い分割地図画像では、表示されない場合もある。
【００５５】
図９は、図４のように異なる階層の分割地図画像を並べた表示画面図である。
【００５６】
図９によれば、上位層の分割地図画像によれば詳細な地図情報も描写できているが、下位層の分割地図画像によれば大まかな地図情報しか描写できていない。ここで、下位層の分割地図画像の領域に対して、例えばピンチアウト操作によって拡大率を大きくした場合、その部分の次の上位層の分割地図画像が表示されて、詳細な地図情報も描写できるようになる。尚、この下位層の１枚の分割地図画像は、上位層の１枚の分割地図画像の情報量とほぼ同一のものである。
【００５７】
以上、詳細に説明したように、本発明のシステム、方法、地図サーバ、端末及びプログラムによれば、地図に対するユーザの拡大／縮小操作よっても、端末における分割地図画像の表示負荷が大きく異ならないようにすることができる。
【００５８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５９】
１  地図サーバ
２  端末
【図１】
2014235329.tif 000005
【図２】
2014235329.tif 000006
【図３】
2014235329.tif 000007
【図４】
2014235329.tif 000008
【図５】
2014235329.tif 000009
【図６】
2014235329.tif 000010
【図７】
2014235329.tif 000011
【図８】
2014235329.tif 000012
【図９】
2014235329.tif 000013